(57)【特許請求の範囲】
【請求項１】
重量体の慣性力によりチャックを前進させて芯を繰り出すとともに、筆記によるチャック及び連結具の前後動により芯を一方向に回転させる振出式シャープペンシルであって、チャックの後部に芯タンクを連結し、この芯タンクの外側に重量体を長手方向に摺動可能に設けるとともに、チャックによって長手方向後方に押圧される締具を連結具によって受け止め、この連結具をスライド部材に対して回動可能に構成し、把持部材に対して前記スライド部材を長手方向に移動可能で回動不能に構成し、かつ、スライド部材の前方にスライド部材に対して回動不能にカム部材を構成し、更に、カム部材に前カムと後カムを形成するとともに回転部材に前カムと後カムを形成し、前記カム部材の前カムと回転部材の前カムを互いに当接可能に構成するとともに、カム部材の後カムと回転部材の後カムを互いに当接可能に構成し、筆記によるチャック及び連結具の前後動と連動してスライド部材が前後動することにより、カム部材と回転部材が互いに前後に移動し、カム部材の前カムと回転部材の前カム及びカム部材の後カムと回転部材の後カムが前後して互いに当接することにより回転部材が一方向に回転し、この回転部材と連動して芯ホルダーを所定角度毎に回転させ、芯ホルダーの回転に伴って芯ホルダーに適度の力で保持された芯を回転させることを特徴とする振出式シャープペンシル。
【発明の詳細な説明】
【技術分野】
【０００１】
本発明は、重量体の慣性力により芯を繰り出すとともに、筆記によるチャック及び連結具の前後動により芯を一方向に回転させる振出式シャープペンシルに関するものである。
【背景技術】
【０００２】
一般的に筆記具は若干傾けて筆記するが、シャープペンシルを傾けて筆記すると芯が片減りしてしまうために、芯の端面が楕円状になってしまい筆記幅が次第に太くなってしまうものであった。そのため、細い筆記幅を保つためにはシャープペンシルを回転する必要があった。
この点を解消するために、筆圧を加えることにより芯を一定量回転させ、尚且つ、軸筒を振ることにより生じる重量体の慣性力によりチャックを前進させて芯を一定量繰り出すシャープペンシルが知られている。
【０００３】
しかしながら、上記シャープペンシルは、芯を回転させるための機構がチャックの後方に配置されているために、長手方向に摺動可能な重量体を芯タンクの外側に設けた場合には、シャープペンシルの全長が長くなるとともに、軸筒の外径も太くなってしまうものであった。
【先行技術文献】
【特許文献】
【０００４】
【特許文献１】特開２０１０−３６３９１号公報
【特許文献２】特開２０１０−５２１９８号公報
【発明の概要】
【発明が解決しようとする課題】
【０００５】
解決しようとする問題点は、重量体の慣性力により芯を繰り出す振出式シャープペンシルに、筆記によるチャック及び連結具の前後動により芯を一方向に回転させる機構を設けた時、振出式シャープペンシルの全長が長くなるとともに軸筒の外径も太くなってしまう点である。
【課題を解決するための手段】
【０００６】
本発明は、重量体の慣性力によりチャックを前進させて芯を繰り出すとともに、筆記によるチャック及び連結具の前後動により芯を一方向に回転させる振出式シャープペンシルであって、チャックの後部に芯タンクを連結し、この芯タンクの外側に重量体を長手方向に摺動可能に設けるとともに、チャックによって長手方向後方に押圧される締具を連結具で受け止め、この連結具をスライド部材に対して回動可能に構成し、把持部材に対して前記スライド部材を長手方向に移動可能で回動不能に構成し、かつ、スライド部材の前方にスライド部材に対して回動不能にカム部材を構成し、更に、カム部材に前カムと後カムを形成するとともに回転部材に前カムと後カムを形成し、前記カム部材の前カムと回転部材の前カムを互いに当接可能に構成するとともに、カム部材の後カムと回転部材の後カムを互いに当接可能に構成し、筆記によるチャック及び連結具の前後動と連動してスライド部材が前後動することにより、カム部材と回転部材が互いに前後に移動し、カム部材の前カムと回転部材の前カム及びカム部材の後カムと回転部材の後カムが前後して互いに当接することにより回転部材が一方向に回転し、この回転部材と連動して芯ホルダーを所定角度毎に回転させ、芯ホルダーの回転に伴って芯ホルダーに適度の力で保持された芯を回転させることを最も主要な特徴とする。
【発明の効果】
【０００７】
本発明は、筆記圧による芯ホルダーの回転機構をチャックの前方に位置させることにより、芯タンクの外側に重量体を設けても全長が長くならず、しかも軸筒の径が太くならない利点が得られるものである。
【図面の簡単な説明】
【０００８】
【図１】図１は、本発明の実施例１の振出式シャープペンシルを示す断面図である。（実施例１）
【図２】図２は、本発明の実施例１の振出式シャープペンシルを示す主要部拡大断面図である。（実施例１）
【図３】図３は、図２のＡ−Ａ線を示す拡大断面図である。（実施例１）
【図４】図４は、図２における摺動部材と回転部材による回転機構の展開状態を示す主要部拡大説明図である。（実施例１）
【図５】図５は、本発明の実施例１の振出式シャープペンシルにおいて筆圧を加えた状態を示す主要部拡大断面図である。（実施例１）
【図６】図６は、図５における摺動部材と回転部材の回転機構の展開状態を示す主要部拡大説明図である。（実施例１）
【図７】図７は、図５の状態から筆圧を解除した状態における摺動部材と回転部材の回転機構の展開状態を示す主要部拡大説明図である。（実施例１）
【図８】図８は、本発明の実施例２の振出式シャープペンシルを示す断面図である。（実施例２）
【図９】図９は、本発明の実施例２の振出式シャープペンシルにおいて筆圧を加えた状態を示す主要部断面図である。（実施例２）
【図１０】図１０は、本発明の実施例３の振出式シャープペンシルを示す主要部拡大断面図である。（実施例３）
【図１１】図１１は、図１０における摺動部材と回転部材の回転機構の展開状態を示す主要部拡大説明図である。（実施例３）
【図１２】図１２は、実施例３の振出式シャープペンシルにおいて、筆圧を加えた状態を示す主要部拡大断面図である。（実施例３）
【図１３】図１３は、図１２における摺動部材と回転部材の回転機構の展開状態を示す主要部拡大説明図である。（実施例３）
【図１４】図１４は、本発明の実施例４の振出式シャープペンシルを示す主要部拡大断面図である。（実施例４）
【図１５】図１５は、実施例４の振出式シャープペンシルにおいて筆圧を加えた状態を示す主要部拡大断面図である。（実施例４）
【図１６】図１６は、本発明の実施例５の振出式シャープペンシルを示す主要部拡大断面図である。（実施例５）
【図１７】図１７は、実施例５の振出式シャープペンシルにおいて、筆圧を加えた状態を示す主要部拡大断面図である。（実施例５）
【図１８】図１８は、本発明の実施例６の振出式シャープペンシルを示す主要部拡大断面図である。（実施例６）
【図１９】図１９は、本発明の実施例７の振出式シャープペンシルを示す主要部拡大断面図である。（実施例７）
【図２０】図２０は、本発明の実施例８の振出式シャープペンシルを示す主要部断面図である。（実施例８）
【図２１】図２１は、本発明の実施例８の振出式シャープペンシルを示す主要部拡大断面図である。（実施例８）
【図２２】図２２は、本発明の実施例９の振出式シャープペンシルを示す主要部拡大断面図である。（実施例９）
【図２３】図２３は、図２２の振出式シャープペンシルを示す主要部拡大平面図である。（実施例９）
【図２４】図２４は、本発明の実施例１０の振出式シャープペンシルを示す主要部拡大断面図である。（実施例１０）
【図２５】図２５は、実施例１０の振出式シャープペンシルにおいて、芯の回転を防止した状態を示す主要部拡大断面図である。（実施例１０）
【図２６】図２６は、本発明の実施例１１の振出式シャープペンシルを示す主要部拡大断面図である。（実施例１１）
【図２７】図２７は、図２６におけるロック部材のカム部と前軸のカム部の展開状態を示す主要部拡大説明図である。（実施例１１）
【図２８】図２８は、実施例１１の振出式シャープペンシルにおいて、芯の回転を防止した状態を示す主要部拡大断面図である。（実施例１１）
【図２９】図２９は、図２８におけるロック部材のカム部と前軸のカム展開状態を示す主要部拡大説明図である。（実施例１１）
【図３０】図３０は、本発明の実施例１２の振出式シャープペンシルを示す主要部断面図である。（実施例１２）
【図３１】図３１は、実施例１２の振出式シャープペンシルにおいて、芯の回転を防止した状態を示す主要部断面図である。（実施例１２）
【図３２】図３２は、本発明の実施例１３の振出式シャープペンシルを示す主要部断面図である。（実施例１３）
【図３３】図３３は、本発明の実施例１４の振出式シャープペンシルを示す主要部断面図である。（実施例１４）
【図３４】図３４は、実施例１４の振出式シャープペンシルにおける緩衝材を示す拡大正面図である。（実施例１４）
【図３５】図３５は、図３４の拡大右側面図である。（実施例１４）
【図３６】図３６は、本発明の実施例１５の振出式シャープペンシルを示す主要部拡大断面図である。（実施例１５）
【図３７】図３７は、図３６における前軸、スライド部材および摺動部材を示す主要部拡大断面図である。（実施例１５）
【図３８】図３８は、図３７のＡ−Ａ線を示す拡大断面図である。（実施例１５）
【図３９】図３９は、本発明の実施例１６の振出式シャープペンシルを示す断面図である。（実施例１６）
【図４０】図４０は、本発明の実施例１７の振出式シャープペンシルを示す主要部拡大断面図である。（実施例１７）
【発明を実施するための形態】
【０００９】
本発明は、筆記圧による芯ホルダーの回転機構をチャックの前方に位置させて構成することにより、全長が長くなったり軸筒の径が太くなることなく、重量体の慣性力により芯を繰り出すことができるとともに、筆記によるチャック及び連結具の前後動により芯を一方向に回転させることができる振出式シャープペンシルを実現した。
【実施例１】
【００１０】
以下、図１、図２、図３、図４、図５、図６及び図７に基づいて、本発明における実施例１の振出式シャープペンシルを説明する。また、図１の左側を前方とし、右側を後方とする。先ず、図１及び図２において、シリコンゴム等の軟質材で構成された把持部材１を前軸２に固定して取り付ける。この前軸２に前方よりスライド部材３を挿入するとともに後方より固定駒４を挿入し、スライド部材３と固定駒４を圧入固着する。このスライド部材３の後端と固定駒４の外段４Ａとの間に前軸２の内鍔２Ａを位置させ、前記前軸２の内鍔２Ａはスライド部材３の後端と固定駒４の外段４Ａの間を適宜前後動可能に構成する。また、スライド部材３の前部には円周方向等間隔に４個貫通したキー溝３Ａを形成し、このキー溝３Ａに前軸２の前部内面に内方に突出して形成されたキー２Ｂが係合し、スライド部材３と前軸２は長手方向には適宜移動可能でかつ回動不能に構成される。更に、前軸２のキー２Ｂの一部はスライド部材３の貫通したキー溝３Ａより内方に突出して構成される。
【００１１】
振出式シャープペンシルの機構部は、頭部５Ａが数分割されたチャック５と、チャック５の頭部５Ａに外嵌される締具６と、チャック５の後部に固着されるコネクター７と、コネクター７に圧入固着されるパイプ状の芯タンク８と、締具６を受け止める連結具９と、連結具９とコネクター７の間に取付時荷重が１００ｇ程度で取り付けられるチャックスプリング１０とにより構成される。更に、芯タンク８の前部にゴム等の軟質材からなる前Ｏリング１１をコネクター７の外鍔７Ａと接触させて取り付ける。
【００１２】
前記機構部をスライド部材３の前方より挿入し、スライド部材３の内鍔３Ｂを連結具９の後部外鍔９Ａが挿通し、スライド部材３の内鍔３Ｂが連結具９の前部外鍔９Ｂと後部外鍔９Ａの間に回動自在に係合される。
【００１３】
更に、先部材１２の後部には後端から切り欠かれて伸びたキー溝１２Ａが相対位置に形成される。また、前部に芯ガイドパイプ１３を固定した回転部材１４を先部材１２に回動可能に内蔵する。この回転部材１４に芯１５を５０ｇ程度の摩擦力で保持するゴム製の芯ホルダー１６を取り付ける。
【００１４】
次に、芯ホルダー１６の回転機構を説明する。図４に示したように、回転部材１４に、前外鍔の後面に形成した前カム１４Ａと後外鍔の前面に形成した後カム１４Ｂを構成する。この回転部材１４の前カム１４Ａは、右回転方向に向かって後方に傾斜する多数の傾斜面１４Ｃと、傾斜面１４Ｃと傾斜面１４Ｃの間に位置する垂直面１４Ｄにより構成する。また、回転部材１４の後カム１４Ｂは、右回転方向に向かって前方に傾斜する多数の傾斜面１４Ｅと、傾斜面１４Ｅと傾斜面１４Ｅの間に位置する垂直面１４Ｆにより構成する。更に、カム部材としての摺動部材１７の内側部に、前端面に形成した前カム１７Ａと後段面に形成した後カム１７Ｂを構成する。この摺動部材１７の前カム１７Ａは、左回転方向に向かって前方に傾斜する多数の傾斜面１７Ｃと、傾斜面１７Ｃと傾斜面１７Ｃの間に位置する垂直面１７Ｄにより構成する。また、摺動部材１７の後カム１７Ｂは、左回転方向に向かって後方に傾斜する多数の傾斜面１７Ｅと、傾斜面１７Ｅと傾斜面１７Ｅの間に位置する垂直面１７Ｆにより構成する。更に、摺動部材１７の前カム１７Ａの傾斜面１７Ｃと後カム１７Ｂの傾斜面１７Ｅは同数で前カム１７Ａの垂直面１７Ｄと後カム１７Ｂの垂直面１７Ｆが長手方向に合わされている。また、回転部材１４の前カム１４Ａの傾斜面１４Ｃと後カム１４Ｂの傾斜面１４Ｅも摺動部材１７の前カム１７Ａの傾斜面１７Ｃ及び後カム１７Ｂの傾斜面１７Ｅと同数で、前カム１４Ａの傾斜面１４Ｃの略中心に後カム１４Ｂの垂直面１４Ｆが位置する。前記摺動部材１７の内側部を前記回転部材１４の前カム１４Ａと後カム１４Ｂの間に取り付け、回転部材１４の前カム１４Ａと摺動部材１７の前カム１７Ａを対面させるとともに、回転部材１４の後カム１４Ｂと摺動部材１７の後カム１７Ｂを対面させて構成する。また、回転部材１４に対し摺動部材１７は長手方向に適宜前後動可能に構成し、回転部材１４の前カム１４Ａと摺動部材１７の前カム１７Ａ及び回転部材１４の後カム１４Ｂと摺動部材１７の後カム１７Ｂは当接可能に構成される。
【００１５】
この芯ホルダー１６の回転機構は先部材１２に内蔵されるが、先部材１２のキー溝１２Ａに摺動部材１７の相対位置に係止された突部１７Ｇが挿入され、先部材１２に対して摺動部材１７は長手方向に移動可能で回動不能に構成される。また、摺動部材１７の突部１７Ｇは先部材１２の後部周面より円周方向外方に突出する。また、先部材１２の内段１２Ｂと摺動部材１７の外段１７Ｈとの間に前スプリング１８を取り付け、摺動部材１７を長手方向後方に付勢する。
【００１６】
上記先部材１２を前記スライド部材３に着脱可能に螺合し、先部材１２の係止段１２Ｃと連結具９の前端との間に回転部材１４を回動可能に内蔵し、取付時荷重１００ｇ程度で取り付けられた前スプリング１８により長手方向後方に付勢された摺動部材１７の後カム１７Ｂを回転部材１４の後カム１４Ｂに当接するとともに、摺動部材１７の突部１７Ｇを前軸２のキー２Ｂに当接させる。すると、前軸２の内鍔２Ａが固定駒４の外段４Ａに当接される。また、先部材１２に内蔵された芯ホルダー１６の回転機構はチャック５の前方に位置される。
【００１７】
更に、前軸２の後方から円筒状の重量体１９を挿入し、重量体１９を芯タンク８の外面とガイド部材としての固定駒４の内面の間に長手方向に摺動可能に遊嵌する。尚、芯タンク８の外面と重量体１９の内面との隙間より重量体１９の外面と固定駒４の内面との隙間を狭く構成する。
【００１８】
後軸２０にはクリップ２１が一体に構成されるとともに、後軸２０の前方より中子２２を挿入する。この中子２２には内鍔２２Ａ前端にゴム等の軟質材からなる後Ｏリング２３を圧入固着する。また、後軸２０の後方より押圧部材２４を挿入し、中子２２の開口窓２２Ｂに押圧部材２４の係止突起２４Ａを係止するとともに押圧部材２４の前端を中子２２の内鍔２２Ａに当接し、中子２２と押圧部材２４を連結する。更に、後軸２０の内鍔２０Ａと押圧部材２４の外段２４Ｂとの間には取付時荷重３００ｇ程度でリターンスプリング２５を取り付け、押圧部材２４を長手方向後方に付勢する。この押圧部材２４には内孔２４Ｃが形成されて芯１５が通過可能に構成されるとともに、押圧部材２４の後部内側に消しゴム２６が取り付けられる。また、押圧部材２４の後部外側には消しゴム２６を覆うためにノブ２７が着脱可能に嵌合される。
【００１９】
この後軸２０を前記前軸２に着脱可能に螺合するとともに、芯タンク８内に予備の芯１５を収納して振出式シャープペンシルを構成する。
【００２０】
前記振出式シャープペンシルで筆記を行うと、芯１５が紙面に押圧され図５に示したように、筆圧を受けるチャック５、締具６、連結具９、スライド部材３、固定駒４、先部材１２及び回転部材１４は停止しているが、スライド部材３に対し手で把持された前軸２及び把持部材１は前進し、前軸２のキー２Ｂに突部１７Ｇが当接した摺動部材１７も前軸２とともに前スプリング１８を圧縮しながら前進する。すると、摺動部材１７の前カム１７Ａが回転部材１４の前カム１４Ａに当接し、摺動部材１７の前カム１７Ａの傾斜面１７Ｃが回転部材１４の前カム１４Ａの傾斜面１４Ｃに当接する。しかし、摺動部材１７は突部１７Ｇが先部材１２のキー溝１２Ａに挿入されて回動不能となっているので、回転部材１４の前カム１４Ａの傾斜面１４Ｃが摺動部材１７の前カム１７Ａの傾斜面１７Ｃの略半分を滑って、図６に示したように回転部材１４が前方に対して右回転する。回転部材１４とともに回転部材１４に取り付けられた芯ホルダー１６が右回転すると芯１５も右に回転する。この時、芯１５を保持するチャック５も、締具６及び連結具９とともにスライド部材３に対して右に回転する。
【００２１】
次に、筆記を止め芯１５を紙面より離すと、手で把持された前軸２及び把持部材１に対して、前スプリング１８により前方に付勢された先部材１２及びスライド部材３が前進する。すると、スライド部材３とともに、連結具９、締具６、チャック５、回転部材１４、芯ホルダー１６が芯１５とともに前進する。そして、回転部材１４の後カム１４Ｂの傾斜面１４Ｅが摺動部材１７の後カム１７Ｂの傾斜面１７Ｅに当接し、回転部材１４の後カム１４Ｂの傾斜面１４Ｅが摺動部材１７の後カム１７Ｂの傾斜面１７Ｅの略半分を滑って図７に示したように回転部材１４が前方に対して右回転する。また、固定駒４の外段４Ａが前軸２の内鍔２Ａに当接し、図１及び図２の状態に復帰する。すると、回転部材１４の後カム１４Ｂの傾斜面１４Ｅは摺動部材１７の後カム１７Ｂの傾斜面１７Ｅを１つ乗り越えて右隣りの傾斜面１７Ｅに当接され、図７に示したように芯１５は回転部材１４の後カム１４Ｂの１つの傾斜面１４Ｅ寸法だけ右に回転する。また、筆記中の芯１５が短くなってチャック５で保持できない場合でも、短くなった芯１５をチャック５に保持された芯１５で押し出せば続けて筆記を行うことができ、短くなった芯１５は回転する。ただし、この場合はチャック５は回転せず、チャック５に保持されている芯１５は回転しない。尚、チャック５、コネクター７及び芯タンク８と押圧部材２４が分離されているとともに、ガイド部材としての固定駒４と重量体１９の隙間より重量体１９と芯タンク８の隙間が大きく構成されているので、芯タンク８の回転を押圧部材２４や重量体１９によって妨げられる恐れはない。
【００２２】
筆記を行うことによって芯１５が摩耗した場合には、手で把持した把持部材１を振ると、重量体１９が先ず後方に移動して後Ｏリング２３に当接する。その反動で把持部材１を前方に振ると、重量体１９は前方に移動して前Ｏリング１１に当接する。この重量体１９の慣性力によりチャック５、コネクター７、芯タンク８を前進させ、従来公知の振出式シャープペンシルと同様に一定量芯１５を繰り出す。
【００２３】
この実施例１の振出式シャープペンシルの場合には、回転部材１４を回転させる機構が先部材１２の中に内蔵されているので、連結具９の後方は通常の振出式シャープペンシルと同様の構造となり、容易に振出式シャープペンシルを構成できる利点がある。また、先部材１２に回転部材１４を回転させる機構が内蔵されるので、回転機構及び機構部の組立を容易に行える利点がある。更に、芯１５をガイドする芯ガイドパイプ１３も芯１５とともに回転するので、芯１５と芯ガイドパイプ１３との間で摩擦力が発生するおそれは全くない。
【実施例２】
【００２４】
以下、図８及び図９に基づいて本発明における実施例２の振出式シャープペンシルを説明する。尚、図１と同一部材は同一の符号を付してその説明を省略する。先ず、図８において、軟質材で構成された把持部材１を前軸１０２に固定して取り付ける。また、固定駒１０４の後部に雄ネジ部１０４Ｂを形成する。前記前軸１０２に前方よりスライド部材３を挿入するとともに後方より固定駒１０４を挿入し、スライド部材３と固定駒１０４を圧入固着する。このスライド部材３の後端と固定駒１０４の外段１０４Ａとの間に前軸１０２の内鍔１０２Ａを位置させ、前記前軸１０２の内鍔１０２Ａはスライド部材３の後端と固定駒１０４の外段１０４Ａの間を適宜前後動可能に構成する。また、スライド部材３のキー溝３Ａに前軸１０２のキー１０２Ｂが係合し、スライド部材３と前軸１０２は長手方向には適宜移動可能でかつ回動不能に構成される。更に、前軸１０２のキー１０２Ｂの一部はスライド部材３の貫通したキー溝３Ａより内方に突出して構成される。前記固定駒１０４の後方から円筒状の重量体１９を挿入し、重量体１９を芯タンク８の外面とガイド部材としての固定駒１０４の内面の間に長手方向に摺動可能に遊嵌する。尚、芯タンク８の外面と重量体１９の内面との隙間より重量体１９の外面と固定駒１０４の内面との隙間を狭く構成する。更に、前記固定駒１０４の雄ネジ部１０４Ｂに後軸２０を着脱可能に螺合して振出式シャープペンシルを構成する。
【００２５】
前記振出式シャープペンシルで筆記を行うと、芯１５が紙面に押圧され図９に示したように、筆圧を受けるチャック５、締具６、連結具９、スライド部材３、固定駒１０４、後軸２０、先部材１２及び回転部材１４は停止しているが、スライド部材３に対し手で把持された前軸１０２及び把持部材１は前進し、前軸１０２のキー１０２Ｂに突部１７Ｇが当接した摺動部材１７も前軸１０２とともに前スプリング１８を圧縮しながら前進する。すると、カム部材としての摺動部材１７の前カム１７Ａが回転部材１４の前カム１４Ａに当接し、摺動部材１７の前カム１７Ａの傾斜面１７Ｃが回転部材１４の前カム１４Ａの傾斜面１４Ｃに当接する。しかし、摺動部材１７は突部１７Ｇが先部材１２のキー溝１２Ａに挿入されて回動不能となっているので、回転部材１４の前カム１４Ａの傾斜面１４Ｃが摺動部材１７の前カム１７Ａの傾斜面１７Ｃの略半分を滑って、回転部材１４が前方に対して右回転する。回転部材１４とともに、回転部材１４に取り付けられた芯ホルダー１６が右回転すると芯１５も右に回転する。この時、芯１５を保持するチャック５も、締具６及び連結具９とともにスライド部材３に対して右に回転する。
【００２６】
次に、筆記を止め芯１５を紙面より離すと、手で把持された前軸１０２及び把持部材１に対して、前スプリング１８により前方に付勢された先部材１２、スライド部材３、固定駒４及び後軸２０が前進する。すると、スライド部材３とともに、連結具９、締具６、チャック５、回転部材１４、芯ホルダー１６が芯１５とともに前進する。そして、回転部材１４の後カム１４Ｂの傾斜面１４Ｅが摺動部材１７の後カム１７Ｂの傾斜面１７Ｅに当接し、回転部材１４の後カム１４Ｂの傾斜面１４Ｅが摺動部材１７の後カム１７Ｂの傾斜面１７Ｅの略半分を滑って回転部材１４が前方に対して右回転する。また、固定駒１０４の外段１０４Ａが前軸１０２の内鍔１０２Ａに当接し、図８の状態に復帰する。すると、回転部材１４の後カム１４Ｂの傾斜面１４Ｅは摺動部材１７の後カム１７Ｂの傾斜面１７Ｅを１つ乗り越えて右隣りの傾斜面１７Ｅに当接され、芯１５は回転部材１４の後カム１４Ｂの１つの傾斜面１４Ｅ寸法だけ右に回転する。尚、芯１５を繰り出す操作は実施例１と同様に行われる。
【００２７】
この実施例２の振出式シャープペンシルの場合には、芯１５に筆圧を加えると、手で把持した把持部材１及び前軸１０２に対して先部材１２、スライド部材３及び後軸２０が一体で後退する為、先部材内を芯が後退するものと比べて芯が後退するという感覚が薄れ、筆記し易くなるものである。
【実施例３】
【００２８】
以下、図１０、図１１、図１２及び図１３に基づいて本発明における実施例３の振出式シャープペンシルを説明する。尚、図２と同一部材は同一の符号を付してその説明を省略する。先ず、図１０において、前部に芯ガイドパイプ１３を固定した回転部材１１４を先部材１２に回動可能に内蔵する。この回転部材１１４に芯１５を５０ｇ程度の摩擦力で保持するゴム製の芯ホルダー１６を取り付ける。
【００２９】
次に、芯ホルダー１６の回転機構を説明する。前記回転部材１１４に突部１１４Ｇを形成し、この突部１１４Ｇの前面に前カム１１４Ａを形成するとともに、突部１１４Ｇの後面に後カム１１４Ｂを形成する。この回転部材１１４の前カム１１４Ａは、図１１に示したように、右回転方向に向かって前方に傾斜する多数の傾斜面１１４Ｃと、傾斜面１１４Ｃと傾斜面１１４Ｃの間に位置する垂直面１１４Ｄにより構成する。回転部材１１４の後カム１１４Ｂは、右回転方向に向かって後方に傾斜する多数の傾斜面１１４Ｅと、傾斜面１１４Ｅと傾斜面１１４Ｅの間に位置する垂直面１１４Ｆにより構成する。また、カム部材としての摺動部材１１７に、前内鍔１１７Ｉの後面に形成した前カム１１７Ａと後内鍔１１７Ｊの前面に形成した後カム１１７Ｂを構成する。この摺動部材１１７の前カム１１７Ａは、左回転方向に向かって後方に傾斜する多数の傾斜面１１７Ｃと、傾斜面１１７Ｃと傾斜面１１７Ｃの間に位置する垂直面１１７Ｄにより構成する。また、摺動部材１１７の後カム１１７Ｂは、左回転方向に向かって前方に傾斜する多数の傾斜面１１７Ｅと、傾斜面１１７Ｅと傾斜面１１７Ｅの間に位置する垂直面１１７Ｆにより構成する。更に、摺動部材１１７の前カム１１７Ａの傾斜面１１７Ｃと後カム１１７Ｂの傾斜面１１７Ｅは同数で前カム１１７Ａの傾斜面１１７Ｃの略中心に後カム１１７Ｂの垂直面１１７Ｆが位置する。また、回転部材１１４の前カム１１４Ａの傾斜面１１４Ｃと後カム１１４Ｂの傾斜面１１４Ｅも摺動部材１１７の前カム１１７Ａの傾斜面１１７Ｃ及び後カム１１７Ｂの傾斜面１１７Ｅと同数で、前カム１１４Ａの垂直面１１４Ｄと後カム１１４Ｂの垂直面１１４Ｆが長手方向に合わされている。前記摺動部材１１７の前カム１１７Ａと後カム１１７Ｂの間に回転部材１１４の突部１１４Ｇを取り付け、回転部材１１４の前カム１１４Ａと摺動部材１１７の前カム１１７Ａを対面させるとともに、回転部材１１４の後カム１１４Ｂと摺動部材１１７の後カム１１７Ｂを対面させて構成する。また、回転部材１１４に対し摺動部材１１７は長手方向に適宜前後動可能に構成し、回転部材１１４の前カム１１４Ａと摺動部材１１７の前カム１１７Ａ及び回転部材１１４の後カム１１４Ｂと摺動部材１１７の後カム１１７Ｂは当接可能に構成する。
【００３０】
この芯ホルダー１６の回転機構は先部材１２に内蔵されるが、先部材１２のキー溝１２Ａに摺動部材１１７の相対位置に形成された突部１１７Ｇが挿入され、先部材１２に対して摺動部材１１７は長手方向に移動可能で回動不能に構成される。また、摺動部材１１７の突部１１７Ｇは先部材１２の後部表面より外方に突出する。更に、先部材１２の内段１２Ｂと摺動部材１１７の外段１１７Ｈとの間に前スプリング１８を取り付け、摺動部材１１７を長手方向後方に付勢する。
【００３１】
上記先部材１２をスライド部材３に着脱可能に螺合し、先部材１２の係止段１２Ｃと連結具９の前端との間に回転部材１１４を回動可能に内蔵し、取付時荷重１００ｇ程度で取り付けられた前スプリング１８により長手方向後方に付勢された摺動部材１１７の前カム１１７Ａを回転部材１１４の前カム１１４Ａに当接するとともに、摺動部材１１７の突部１１７Ｇを前軸２のキー２Ｂに当接させる。すると、前軸２の内鍔２Ａが固定駒４の外段４Ａに当接される。更に、前軸２の後方から円筒状の重量体１９を挿入し、重量体１９を芯タンク８の外面とガイド部材としての固定駒４の内面との間に長手方向に摺動可能に遊嵌する。尚、芯タンク８の外面と重量体１９の内面との隙間より重量体１９の外面と固定駒４の内面との隙間を狭く構成し、振出式シャープペンシルを構成する。
【００３２】
前記振出式シャープペンシルで筆記を行うと、芯１５が紙面に押圧され図１２に示したように、筆圧を受けるチャック５、締具６、連結具９、スライド部材３、固定駒４、先部材１２及び回転部材１１４は停止しているが、スライド部材３に対し手で把持された前軸２及び把持部材１は前進し、前軸２のキー２Ｂに突部１１７Ｇが当接した摺動部材１１７も前軸２とともに前スプリング１８を圧縮しながら前進する。すると、摺動部材１１７の後カム１１７Ｂが回転部材１１４の後カム１１４Ｂに当接し、摺動部材１１７の後カム１１７Ｂの傾斜面１１７Ｅが回転部材１１４の後カム１１４Ｂの傾斜面１１４Ｅに当接する。しかし、摺動部材１１７は突部１１７Ｇが先部材１２のキー溝１２Ａに挿入されて回動不能となっているので、回転部材１１４の後カム１１４Ｂの傾斜面１１４Ｅが摺動部材１１７の後カム１１７Ｂの傾斜面１１７Ｅの略半分を滑って図１３に示したように回転部材１１４が前方に対して右回転する。この回転部材１１４とともに、回転部材１１４に取り付けられた芯ホルダー１６が右回転すると芯１５も右に回転する。この時、芯１５を保持するチャック５も、締具６及び連結具９とともにスライド部材３に対して右に回転する。
【００３３】
次に、筆記を止め芯１５を紙面より離すと、手で把持された前軸２及び把持部材１に対して、前スプリング１８により前方に付勢された先部材１２及びスライド部材３が前進する。すると、スライド部材３とともに、連結具９、締具６、チャック５、回転部材１１４、芯ホルダー１６が芯１５とともに前進する。そして、回転部材１１４に形成された前カム１１４Ａの傾斜面１１４Ｃが摺動部材１１７に形成された前カム１１７Ａの傾斜面１１７Ｃに当接し、回転部材１１４の前カム１１４Ａの傾斜面１１４Ｃが摺動部材１１７の前カム１１７Ａの傾斜面１１７Ｃの略半分を滑って回転部材１１４が前方に対して右回転する。また、固定駒４の外段４Ａが前軸２の内鍔２Ａに当接し、図１０の状態に復帰する。すると、回転部材１１４の前カム１１４Ａの傾斜面１１４Ｃは摺動部材１１７の前カム１１７Ａの傾斜面１１７Ｃを１つ乗り越えて右隣りの傾斜面１１７Ｃに当接され、芯１５は回転部材１１４の後カム１１４Ｂの１つの傾斜面１１４Ｅ寸法だけ右に回転する。尚、チャック５、コネクター７及び芯タンク８が回転する時、芯タンク８と押圧部材２４が分離されているとともに、ガイド部材としての固定駒４と重量体１９の隙間より重量体１９と芯タンク８の隙間が大きく構成されているので、芯タンク８の回転を押圧部材２４や重量体１９によって妨げられる恐れはない。
【００３４】
この実施例４の振出式シャープペンシルの場合も、回転部材１１４を回転させる機構が先部材１２の中に内蔵されているので、連結具９から後方は通常の振出式シャープペンシルと同様の構造となり、容易に振出式シャープペンシルを構成できる利点がある。また、先部材１２に回転部材１１４を回転させる機構が内蔵されるので、回転機構及び機構部の組立を容易に行える利点が得られる。
【実施例４】
【００３５】
以下、図１４及び図１５に基づいて本発明における実施例４の振出式シャープペンシルを説明する。尚、図２と同一部材は同一の符号を付してその説明を省略する。先ず、図１４において、回転部材２１４に芯１５を５０ｇ程度の摩擦力で保持するゴム等の芯ホルダー１６を取り付ける。
【００３６】
次に、芯ホルダー１６の回転機構を説明する。前記回転部材２１４に突部２１４Ｇを形成し、この突部２１４Ｇの前面に前カム２１４Ａを形成するとともに、突部２１４Ｇの後面に後カム２１４Ｂを形成する。この回転部材２１４の前カム２１４Ａは、右回転方向に向かって前方に傾斜する多数の傾斜面と、傾斜面と傾斜面の間に位置する垂直面により構成する。また、回転部材２１４の後カム２１４Ｂは、右回転方向に向かって後方に傾斜する多数の傾斜面と、傾斜面と傾斜面の間に位置する垂直面により構成する。先部材１１２には前カム１１２Ｄが形成され、この前カム１１２Ｄは左回転方向に向かって後方に傾斜する多数の傾斜面と、傾斜面と傾斜面の間に位置する垂直面により構成する。更に、内駒２８の内側部前面に後カム２８Ａを構成する。この内駒２８の後カム２８Ａは、左回転方向に向かって前方に傾斜する多数の傾斜面と、傾斜面と傾斜面の間に位置する垂直面により構成する。更に、回転部材２１４の前カム２１４Ａの傾斜面と後カム２１４Ｂの傾斜面は同数で前カム２１４Ａの傾斜面の略中心に後カム２１４Ｂの垂直面が位置する。また、先部材１１２の前カム１１２Ｄの傾斜面と内駒２８の後カム２８Ａの傾斜面も回転部材２１４の前カム２１４Ａの傾斜面及び後カム２１４Ｂの傾斜面と同数に構成する。前記回転部材２１４を先部材１１２内に長手方向に摺動可能でかつ回動不能に内蔵する。更に、先部材１１２の位置決め溝１１２Ｅに内駒２８の位置決め突起２８Ｂを挿入して位置決めし、先部材１１２に内駒２８を圧入固着する。この先部材１１２と内駒２８によりカム部材を構成する。また、先部材１１２に形成された前カム１１２Ｄの垂直面と内駒２８に形成した後カム２８Ａの垂直面が長手方向に合わされている。そして、先部材１１２の前カム１１２Ｄと回転部材２１４の前カム２１４Ａを対面させて構成するとともに、回転部材２１４の後カム２１４Ｂと内駒２８の後カム２８Ａを対面させて構成する。
【００３７】
また、回転部材２１４の突部２１４Ｇは先部材１１２の前カム１１２Ｄと内駒２８の後カム２８Ａの間を長手方向に適宜前後動可能に構成し、先部材１１２の前カム１１２Ｄと回転部材２１４の前カム２１４Ａ及び回転部材２１４の後カム２１４Ｂと内駒２８の後カム２８Ａは当接可能に構成する。更に、先部材１１２の内段１１２Ｂと回転部材２１４の外段２１４Ｈとの間に取付時荷重１００ｇ程度で前スプリング１１８を取り付け、回転部材２１４を長手方向後方に付勢して回転部材２１４の後カム２１４Ｂを内駒２８の後カム２８Ａに当接させる。
【００３８】
上記先部材１１２に後端から切り欠かれて伸びたキー溝１１２Ａを相対位置に形成し、このキー溝１１２Ａに摺動部材２１７の相対位置に形成された突部２１７Ｇを挿入して、先部材１１２に対して摺動部材２１７を長手方向に移動可能で回動不能に構成する。また、摺動部材２１７の突部２１７Ｇは先部材１１２の後部表面より外方に突出する。
【００３９】
前記先部材１１２をスライド部材３に着脱可能に螺合し、摺動部材２１７の突部２１７Ｇを前軸２のキー２Ｂに当接させるとともに、摺動部材２１７の前端に回転部材２１４の後端を当接可能に構成する。更に、前軸２の後方から円筒状の重量体１９を挿入し、重量体１９を芯タンク８の外面とガイド部材としての固定駒４の内面との間に長手方向に摺動可能に遊嵌する。尚、芯タンク８の外面と重量体１９の内面との隙間より重量体１９の外面と固定駒４の内面との隙間を狭く構成し、振出式シャープペンシルを構成する。
【００４０】
前記振出式シャープペンシルで筆記を行うと、芯１５が紙面に押されて図１５に示したように、筆圧を受けるチャック５、締具６、連結具９、スライド部材３、先部材１１２及び内駒２８は停止しているが、スライド部材３に対し手で把持された前軸２及び把持部材１は前進し、前軸２のキー２Ｂに突部２１７Ｇが当接した摺動部材２１７も前軸２とともに前スプリング１１８を圧縮しながら前進する。すると、摺動部材２１７の前端に回転部材２１４の後端が当接し、摺動部材２１７に押されて回転部材２１４も前進する。そして、回転部材２１４の前カム２１４Ａの傾斜面が先部材１１２の前カム１１２Ｄの傾斜面に当接すると、回転部材２１４の前カム２１４Ａの傾斜面が先部材１１２の前カム１１２Ｄの傾斜面の略半分を滑って回転部材２１４が前方に対して右回転する。この回転部材２１４とともに、回転部材２１４に取り付けられた芯ホルダー１６が右回転すると芯１５も右に回転する。この時、芯１５を保持するチャック５も、締具６及び連結具９とともにスライド部材３に対して右に回転する。
【００４１】
次に、筆記を止めて芯１５を紙面より離すと、手で把持された前軸２及び把持部材１に対して、前スプリング１１８により前方に付勢された先部材１１２及びスライド部材３が前進する。すると、先部材１１２及びスライド部材３とともに、内駒２８、連結具９、締具６、チャック５及び芯１５が前進する。しかし、把持部材１及び前軸２とともに摺動部材２１７及び回転部材２１４は停止しているので、内駒２８に形成された後カム２８Ａの傾斜面が回転部材２１４に形成された後カム２１４Ｂの傾斜面に当接し、回転部材２１４の後カム２１４Ｂの傾斜面が内駒２８の後カム２８Ａの傾斜面の略半分を滑って回転部材２１４が前方に対して右回転する。また、固定駒４の外段４Ａが前軸２の内鍔２Ａに当接し、図１４の状態に復帰する。すると、回転部材２１４の後カム２１４Ｂの傾斜面は内駒２８の後カム２８Ａの傾斜面を１つ乗り越えて右隣りの傾斜面に当接され、芯１５は回転部材２１４の後カム２１４Ｂの１つの傾斜面寸法だけ右に回転する。
【実施例５】
【００４２】
以下、図１６及び図１７に基づいて本発明における実施例５の振出式シャープペンシルを説明する。尚、図１４と同一部材は同一の符号を付してその説明を省略する。先ず、図１６において、回転部材３１４を回転させるための回転機構を説明する。回転部材３１４に外鍔３１４Ｉを形成し、この外鍔３１４Ｉの前面に後カム３１４Ｂを形成する。この回転部材３１４の後カム３１４Ｂは、右回転方向に向かって前方に傾斜する多数の傾斜面と、傾斜面と傾斜面の間に位置する垂直面により構成する。また、回転部材３１４の後カム３１４Ｂ前方には前カム部材２９が圧入固着される。この前カム部材２９は、前カム部材２９の凹部２９Ａに回転部材３１４の凸部３１４Ｊが係合されて位置合わせされている。この前カム部材２９の後面に前カム２９Ｂが形成され、この前カム２９Ｂは、右回転方向に向かって後方に傾斜する多数の傾斜面と、傾斜面と傾斜面の間に位置する垂直面により構成する。前記前カム部材２９の前カム２９Ｂの傾斜面と回転部材３１４の後カム３１４Ｂの傾斜面は同数で、前カム部材２９の前カム２９Ｂの傾斜面の略中心に回転部材３１４の後カム３１４Ｂの垂直面が位置する。また、内駒１２８の内側部前面に前カム１２８Ｃを形成するとともに、内側部後面に後カム１２８Ａを構成する。この内駒１２８の前カム１２８Ｃは、左回転方向に向かって前方に傾斜する多数の傾斜面と、傾斜面と傾斜面の間に位置する垂直面により構成する。更に、内駒１２８の後カム１２８Ａは、左回転方向に向かって後方に傾斜する多数の傾斜面と、傾斜面と傾斜面の間に位置する垂直面により構成する。前記内駒１２８の前カム１２８Ｃの傾斜面と後カム１２８Ａの傾斜面は同数で前カム１２８Ｃの垂直面と後カム１２８Ａの垂直面が長手方向に合わされている。しかも、内駒１２８の前カム１２８Ｃの傾斜面と後カム１２８Ａの傾斜面は、前記前カム部材２９の前カム２９Ｂの傾斜面及び回転部材３１４の後カム３１４Ｂの傾斜面と同数に構成する。また、内駒１２８の内側部を前記前カム部材２９の前カム２９Ｂと回転部材３１４の後カム３１４Ｂの間に位置して構成し、前カム部材２９の前カム２９Ｂと内駒１２８の前カム１２８Ｃを対面させて構成するとともに、内駒１２８の後カム１２８Ａと回転部材３１４の後カム３１４Ｂを対面させて構成する。更に、内駒１２８の内側部は、前カム部材２９の前カム２９Ｂと回転部材３１４の後カム３１４Ｂの間を長手方向に適宜前後動可能に構成し、前カム部材２９の前カム２９Ｂと内駒１２８の前カム１２８Ｃ及び内駒１２８の後カム１２８Ａと回転部材３１４の後カム３１４Ｂは当接可能に構成する。前記内駒１２８は先部材２１２に圧入固着して取り付けられ、回転部材３１４を先部材２１２内に長手方向に適宜移動可能でかつ回動可能に内蔵する。前記内駒１２８と先部材２１２によりカム部材を構成する。また、先部材２１２の内段２１２Ｂと前カム部材２９の間に取付時荷重１００ｇ程度で前スプリング１１８を取り付け、回転部材３１４を長手方向後方に付勢して前カム部材２９の前カム２９Ｂを内駒１２８の前カム１２８Ｃに当接させる。
【００４３】
上記先部材２１２のキー溝２１２Ａに摺動部材２１７の突部２１７Ｇを挿入し、先部材２１２に対して摺動部材２１７を長手方向に移動可能で回動不能に構成する。また、摺動部材２１７の突部２１７Ｇは先部材２１２の後部表面より円周方向外方に突出する。
【００４４】
前記先部材２１２をスライド部材３に着脱可能に螺合し、摺動部材２１７の突部２１７Ｇを前軸２のキー２Ｂに当接させるとともに、摺動部材２１７の前端に回転部材３１４の後端を当接可能に構成する。更に、前軸２の後方から円筒状の重量体１９を挿入し、重量体１９を芯タンク８の外面とガイド部材としての固定駒４の内面との間に長手方向に摺動可能に遊嵌する。尚、芯タンク８の外面と重量体１９の内面との隙間より重量体１９の外面と固定駒４の内面との隙間を狭く構成し、振出式シャープペンシルを構成する。
【００４５】
前記振出式シャープペンシルで筆記を行うと、芯１５が紙面に押されて図１７に示したように、筆圧を受けるチャック５、締具６、連結具９、スライド部材３、先部材２１２及び内駒１２８は停止しているが、スライド部材３に対し手で把持された前軸２及び把持部材１は前進し、前軸２のキー２Ｂに突部２１７Ｇが当接した摺動部材２１７も前軸２とともに前スプリング１１８を圧縮しながら前進する。すると、摺動部材２１７の前端に回転部材３１４の後端が当接し、摺動部材２１７に押されて回転部材３１４も前進する。そして、回転部材３１４の後カム３１４Ｂの傾斜面が内駒１２８の後カム１２８Ａの傾斜面に当接すると、回転部材３１４の後カム３１４Ｂの傾斜面が内駒１２８の後カム１２８Ａの傾斜面の略半分を滑って回転部材３１４が前方に対して右回転する。この回転部材３１４とともに、回転部材３１４に取り付けられた芯ホルダー１６が右回転すると芯１５も右に回転する。この時、芯１５を保持するチャック５も、締具６及び連結具９とともにスライド部材３に対して右に回転する。
【００４６】
次に、筆記を止め芯１５を紙面より離すと、手で把持された前軸２及び把持部材１に対して、前スプリング１１８により前方に付勢された先部材２１２及びスライド部材３が前進する。すると、スライド部材３とともに、連結具９、締具６、チャック５及び内駒１２８が芯１５とともに前進する。しかし、把持部材１及び前軸２とともに摺動部材２１７及び回転部材３１４は停止しているので、内駒１２８に形成された前カム１２８Ｃの傾斜面が回転部材３１４に設けられた前カム部材２９の前カム２９Ｂの傾斜面に当接し、前カム部材２９の前カム２９Ｂの傾斜面が内駒１２８の前カム１２８Ｃの傾斜面を滑って、前カム部材２９及び回転部材３１４が前方に対して右回転する。また、固定駒４の外段４Ａが前軸２の内鍔２Ａに当接し、図１６の状態に復帰する。すると、前カム部材２９の前カム２９Ｂの傾斜面は内駒１２８の前カム１２８Ｃの傾斜面を１つ乗り越えて右隣りの傾斜面に当接され、芯１５は前カム部材２９の前カム２９Ｂの１つの傾斜面寸法だけ右に回転する。
【実施例６】
【００４７】
以下、図１８に基づいて本発明における実施例６の振出式シャープペンシルを説明する。尚、図２と同一部材は同一の符号を付してその説明を省略する。先ず、回転部材４１４に、前外鍔４１４Ｋの後面に形成した前カム４１４Ａと後外鍔４１４Ｌの前面に形成した後カム４１４Ｂを構成する。この回転部材４１４の前カム４１４Ａは、右回転方向に向かって後方に傾斜する多数の傾斜面と、傾斜面と傾斜面の間に位置する垂直面により構成する。また、回転部材４１４の後カム４１４Ｂは、右回転方向に向かって前方に傾斜する多数の傾斜面と垂直面により構成する。また、回転部材４１４の前カム４１４Ａの傾斜面及び後カム４１４Ｂの傾斜面は、カム部材としての摺動部材１７の前カム１７Ａの傾斜面１７Ｃと同数に形成する。更に、回転部材４１４の前カム４１４Ａの傾斜面の略中心に後カム４１４Ｂの垂直面が位置する。そして、摺動部材１７の内側部を前記回転部材４１４の前カム４１４Ａと後カム４１４Ｂの間に取り付け、回転部材４１４の前カム４１４Ａと摺動部材１７の前カム１７Ａを対面させるとともに、回転部材４１４の後カム４１４Ｂと摺動部材１７の後カム１７Ｂを対面させて構成する。また、回転部材４１４に対し摺動部材１７は長手方向に適宜前後動可能に構成し、回転部材４１４の前カム４１４Ａと摺動部材１７の前カム１７Ａ及び回転部材４１４の後カム４１４Ｂと摺動部材１７の後カム１７Ｂは当接可能に構成する。
【００４８】
更に、前記回転部材４１４の内面に後方から長手方向前方に伸びたキー溝４１４Ｍを相対位置に形成する。また、前部に芯ガイドパイプ１３を固定した中駒３０に芯ホルダー１６を取り付ける。前記中駒３０の外面の相対位置にキー３０Ａを形成する。この中駒３０を回転部材４１４の後方から挿入し、中駒３０のキー３０Ａを回転部材４１４のキー溝４１４Ｍに係合させることにより、回転部材４１４に対して中駒３０及び芯ホルダー１６を長手方向には摺動可能で回動不能に構成する。
【００４９】
上記先部材１２をスライド部材３に着脱可能に螺合し、先部材１２と連結具９の前端との間に回転部材４１４を回動可能に内蔵し、取付時荷重１００ｇ程度で取り付けられた前スプリング１８により長手方向後方に付勢された摺動部材１７の突部１７Ｇを前軸２のキー２Ｂに当接させる。すると、前軸２の内鍔２Ａが固定駒４の外段４Ａに当接される。
【００５０】
更に、前軸２の後方から円筒状の重量体１９を挿入し、重量体１９を芯タンク８の外面とガイド部材としての固定駒４の内面との間に長手方向に摺動可能に遊嵌する。尚、芯タンク８の外面と重量体１９の内面との隙間より重量体１９の外面と固定駒４の内面との隙間を狭く構成し、振出式シャープペンシルを構成する。
【００５１】
したがって、芯１５が紙面に押圧され、回転部材４１４が前方に対して右回転すると、中駒３０及び芯ホルダー１６も右回転するために、芯１５も右に回転する。
【００５２】
この実施例６の場合には、携帯時に中駒３０及び芯ガイドパイプ１３を後退させれば、先部材１２内に芯ガイドパイプ１３を没入させることができる。
【実施例７】
【００５３】
以下、図１９に基づいて本発明における実施例７の振出式シャープペンシルを説明する。尚、図２あるいは図１４と同一部材は同一の符号を付してその説明を省略する。先ず、回転部材５１４に突部５１４Ｇを形成し、この突部５１４Ｇの前面に前カム５１４Ａを形成するとともに、突部５１４Ｇの後面に後カム５１４Ｂを形成する。この回転部材５１４の前カム５１４Ａは、右回転方向に向かって前方に傾斜する多数の傾斜面と、傾斜面と傾斜面の間に位置する垂直面により構成する。また、回転部材５１４の後カム５１４Ｂは、右回転方向に向かって後方に傾斜する多数の傾斜面と、傾斜面と傾斜面の間に位置する垂直面により構成する。更に、回転部材５１４の内面に後方から長手方向前方に伸びたキー溝５１４Ｍを相対位置に形成する。また、前部に芯ガイドパイプ１３を固定した中駒１３０に芯ホルダー１６を取り付ける。前記中駒１３０の相対位置にキー１３０Ａを形成する。この中駒１３０を回転部材５１４の後方から挿入し、中駒１３０のキー１３０Ａを回転部材５１４のキー溝５１４Ｍに係合させることにより、回転部材５１４に対して中駒１３０及び芯ホルダー１６を長手方向には摺動可能で回動不能に構成する。更に、先部材３１２の内段３１２Ｂと回転部材５１４の内段５１４Ｎとの間に前スプリング１１８を取り付け、回転部材５１４を長手方向後方に付勢して回転部材５１４の後カム５１４Ｂを内駒２８の後カム２８Ａに当接させる。この内駒２８は、先部材３１２の位置決め溝３１２Ｅに内駒２８の位置決め突起２８Ｂを挿入して位置決めした後、先部材３１２に圧入固着される。この先部材３１２と内駒２８によりカム部材を構成する。
【００５４】
前記先部材３１２をスライド部材３に着脱可能に螺合し、摺動部材２１７の突部２１７Ｇを前軸２のキー２Ｂに当接させるとともに、摺動部材２１７の前端に回転部材５１４の後端を当接可能に構成する。更に、前軸２の後方から円筒状の重量体１９を挿入し、重量体１９を芯タンク８の外面とガイド部材としての固定駒４の内面との間に長手方向に摺動可能に遊嵌する。尚、芯タンク８の外面と重量体１９の内面との隙間より重量体１９の外面と固定駒４の内面との隙間を狭く構成し、振出式シャープペンシルを構成する。
【００５５】
したがって、芯１５が紙面に押圧され、回転部材５１４が前方に対して右回転すると、中駒１３０及び芯ホルダー１６も右回転するために、芯１５も右に回転する。
【００５６】
この実施例７の場合も、携帯時に中駒１３０及び芯ガイドパイプ１３を後退させれば、先部材３１２内に芯ガイドパイプ１３を没入させることができる。
【実施例８】
【００５７】
以下、図２０及び図２１に基づいて本発明における実施例８の振出式シャープペンシルを説明する。尚、図１と同一部材は同一の符号を付してその説明を省略する。先ず、シリコンゴム等の軟質材で構成された把持部材１を前軸２０２に固定して取り付ける。この前軸２０２には中間部に内鍔２０２Ａが形成されるとともに、前部に前方から後方に伸びたキー溝２０２Ｃが互いに対向して形成されるとともに、その前方に雌ネジ部２０２Ｄが形成される。
【００５８】
振出式シャープペンシルの機構部は、チャック５と、締具６と、コネクター７と、芯タンク８と、締具６を長手方向に適宜移動可能に凹溝１０９Ｃ内に遊嵌する連結具１０９と、連結具１０９とコネクター７の間に取付時荷重が１００ｇ程度で取り付けられるチャックスプリング１０とにより構成される。
【００５９】
前記機構部をスライド部材１０３の前方より挿入し、スライド部材１０３の内鍔１０３Ｂが連結具１０９の前部外鍔１０９Ｂと後部外鍔１０９Ａの間に回動自在に係合される。
【００６０】
更に、先部材４１２には芯ガイドパイプ１３を固定した回転部材６１４が回動可能に内蔵され、回転部材６１４の前外鍔６１４Ｏを先部材４１２の係止段４１２Ｃと先部材４１２に取り付けられた駒３１との間に回動自在に配置する。この回転部材６１４に芯１５を５０ｇ程度の摩擦力で保持するゴム製の芯ホルダー１６を取り付ける。
【００６１】
次に、前記回転部材６１４を回転させるための回転機構を説明する。回転部材６１４に、前段の後面に形成した前カム６１４Ａと後段の前面に形成した後カム６１４Ｂを構成する。この回転部材６１４の前カム６１４Ａは、右回転方向に向かって後方に傾斜する多数の傾斜面と、傾斜面と傾斜面の間に位置する垂直面により構成する。また、回転部材６１４の後カム６１４Ｂは、右回転方向に向かって前方に傾斜する多数の傾斜面と、傾斜面と傾斜面の間に位置する垂直面により構成する。更に、カム部材としての摺動部材３１７の内側部に、前端面に形成した前カム３１７Ａと後端面に形成した後カム３１７Ｂを構成する。この摺動部材３１７の前カム３１７Ａは、左回転方向に向かって前方に傾斜する多数の傾斜面と、傾斜面と傾斜面の間に位置する垂直面により構成する。また、摺動部材３１７の後カム３１７Ｂは、左回転方向に向かって後方に傾斜する多数の傾斜面と、傾斜面と傾斜面の間に位置する垂直面により構成する。更に、摺動部材３１７の前カム３１７Ａの傾斜面と後カム３１７Ｂの傾斜面は同数で前カム３１７Ａの垂直面と後カム３１７Ｂの垂直面が長手方向に合わされている。また、回転部材６１４の前カム６１４Ａの傾斜面と後カム６１４Ｂの傾斜面も摺動部材３１７の前カム３１７Ａの傾斜面及び後カム３１７Ｂの傾斜面と同数で、やはり前カム６１４Ａの傾斜面の略中心に後カム６１４Ｂの垂直面が位置する。前記摺動部材３１７の内側部を前記回転部材６１４の前カム６１４Ａと後カム６１４Ｂの間に取り付け、回転部材６１４の前カム６１４Ａと摺動部材３１７の前カム３１７Ａを対面させるとともに、回転部材６１４の後カム６１４Ｂと摺動部材３１７の後カム３１７Ｂを対面させて構成する。また、回転部材６１４に対し摺動部材３１７は長手方向に適宜前後動可能に構成し、回転部材６１４の前カム６１４Ａと摺動部材３１７の前カム３１７Ａ及び回転部材６１４の後カム６１４Ｂと摺動部材３１７の後カム３１７Ｂは当接可能に構成される。
【００６２】
この回転部材６１４を先部材４１２に内蔵し、先部材４１２の係止段４１２Ｃと先部材４１２に圧入固着された駒３１の間に回転部材６１４の前外鍔６１４Ｏを配置し、先部材４１２に対して回転部材６１４を回動自在でかつ長手方向に移動不能に取り付ける。
【００６３】
更に、前記回転機構の摺動部材３１７をスライド部材１０３に圧入固着し、摺動部材３１７とスライド部材１０３を回動不能に連結する。
【００６４】
前記前軸２０２に回転機構を取り付けるには、先ず、前軸２０２に前方より緩衝スプリング３２を挿入し、その後、先部材４１２、摺動部材３１７及び回転部材６１４を組み立てたスライド部材１０３を前軸２０２の前方より挿入し、摺動部材３１７のキー３１７Ｋを前軸２０２のキー溝２０２Ｃに挿入するとともに、前軸２０２の雌ネジ部２０２Ｄに先部材４１２の雄ネジ部４１２Ｆを着脱可能に螺合する。また、スライド部材１０３の後端と前軸２０２の内鍔２０２Ａとの間に取付時荷重１５０ｇ程度で緩衝スプリング３２が取り付けられる。
【００６５】
更に、ガイド部材としての前軸２０２の後方から円筒状の重量体１９を挿入し、重量体１９を芯タンク８の外面と前軸２０２の内面との間に長手方向に摺動可能に遊嵌する。尚、芯タンク８の外面と重量体１９の内面との隙間より重量体１９の外面と前軸２０２の内面との隙間を狭く構成する。前記前軸２０２の後部に後軸２０を着脱可能に螺合して振出式シャープペンシルを構成する。
【００６６】
この実施例８の振出式シャープペンシルで筆記を行うと、芯１５が紙面に押され、筆圧を受けるチャック５、締具６、連結具１０９、スライド部材１０３が後退し緩衝スプリング３２を圧縮する。すると、スライド部材１０３に固着された摺動部材３１７も後退し、摺動部材３１７の後カム３１７Ｂの傾斜面が回転部材６１４の後カム６１４Ｂの傾斜面に当接する。しかし、摺動部材３１７はキー３１７Ｋが前軸２０２のキー溝２０２Ｃに挿入されて前軸２０２に対し回動不能となっているので、回転部材６１４の後カム６１４Ｂの傾斜面が摺動部材３１７の後カム３１７Ｂの傾斜面の略半分を滑って、回転部材６１４が前方に対して右回転する。回転部材６１４とともに回転部材６１４に取り付けられた芯ホルダー１６が右回転すると芯１５も右に回転する。この時、芯１５を保持するチャック５も、締具６及び連結具１０９とともにスライド部材１０３に対して右に回転する。
【００６７】
次に、筆記を止めて芯１５を紙面より離すと、緩衝スプリング３２により前方に付勢されたスライド部材１０３が前進する。すると、スライド部材１０３とともに、連結具１０９、締具６、チャック５、摺動部材３１７が前進する。そして、摺動部材３１７の前カム３１７Ａの傾斜面が回転部材６１４の前カム６１４Ａの傾斜面に当接し、回転部材６１４の前カム６１４Ａの傾斜面が摺動部材３１７の前カム３１７Ａの傾斜面の略半分を滑って回転部材６１４が前方に対して右回転する。すると、回転部材６１４の前カム６１４Ａの傾斜面は摺動部材３１７の前カム３１７Ａの傾斜面を１つ乗り越えて右隣りの傾斜面に当接され、芯１５は回転部材６１４の前カム６１４Ａの１つの傾斜面寸法だけ右に回転する。
【実施例９】
【００６８】
以下、図２２及び図２３に基づいて本発明における実施例９の振出式シャープペンシルを説明する。尚、図１８と同一部材は同一の符号を付してその説明を省略する。先ず、先部材５１２を透明あるいは着色した透明性を有する合成樹脂で構成し、表面に梨地加工や不透明のインキで印刷を行うかあるいは転写を行うとともに、その一部に透明性を有する窓部５１２Ｇを形成する。更に、先部材５１２の後部に後端から切り欠かれて伸びたキー溝５１２Ａを相対位置に形成する。また、回転部材４１４に表示部材３３を圧入固着して取り付ける。この表示部材３３には芯１５の回転が目視できるように表示３３Ａが設けられる。この表示部材３３の表示３３Ａは、印刷、転写あるいはシール等により構成する。尚、図示していないが、表示部材は回転部材と一体に構成しても良い。
【００６９】
この回転部材４１４を前記先部材５１２内に内蔵するとともに、先部材５１２のキー溝５１２Ａにカム部材としての摺動部材１７の突部１７Ｇを挿入する。そして、先部材５１２をスライド部材３に着脱可能に螺合して取り付ける。すると、表示部材３３に形成された表示３３Ａが先部材５１２の窓部５１２Ｇより目視可能となる。したがって、回転部材４１４が回転する状態を先部材５１２の窓部５１２Ｇより常時目視することができる。
【００７０】
尚、先部材５１２の窓部５１２Ｇは、円周状に形成するとか円周方向等間隔に複数形成することが好ましい。
【００７１】
この実施例９の振出式シャープペンシルの場合には、芯１５の回転を示す表示３３Ａが先部材５１２の窓部５１２Ｇを通して目視でき、筆記中に表示３３Ａが目視し易いという利点が得られる。
【実施例１０】
【００７２】
以下、図２４及び図２５に基づいて本発明における実施例１０の振出式シャープペンシルを説明する。尚、図２２と同一部材は同一の符号を付してその説明を省略する。先ず、先部材６１２を透明あるいは着色した透明性を有する合成樹脂で構成し、表面後部に雄ネジ部６１２Ｈを構成する。この先部材６１２の表面に、不透明のインキで印刷を行うかあるいは転写を行うとともに、その一部に透明性を有する窓部を形成する。更に、先部材６１２の後部に後端から切り欠かれて伸びたキー溝６１２Ａを相対位置に形成する。また、ロック部材３４に雌ネジ部３４Ａを形成するとともに係止部３４Ｂを後方に伸ばして構成する。このロック部材３４を先部材６１２に長手方向に移動可能に螺合する。しかも、このロック部材３４の係止部３４Ｂは前軸２の前端と当接可能に構成する。そして、通常は、ロック部材３４の係止部３４Ｂと前軸２の前端とが適宜離間して構成し、図２４の状態にすれば、先部材６１２及びスライド部材３に対して前軸２が長手方向に移動可能となっている。したがって、この状態では回転部材４１４の回転機構が働き、筆記を行えば芯１５が回転する。
【００７３】
また、芯１５の回転を止めたい場合には、ロック部材３４を回転させて後退させ、係止部３４Ｂを前軸２に当接させ図２５の状態にする。すると、先部材６１２及びスライド部材３に対して前軸２が長手方向に移動できなくなり、筆記を行っても芯１５が回転しない。
【００７４】
この実施例１０の場合には、使用者の使用目的によって芯１５が回転する状態と芯１５が回転しない状態を選択できるとともに、芯１５の回転を先部材６１２の窓部より確認できるので、筆記中に芯１５が回転しているのか回転していないのかが自然に判断できる利点が得られる。
【実施例１１】
【００７５】
以下、図２６、図２７、図２８及び図２９に基づいて本発明における実施例１１の振出式シャープペンシルを説明する。尚、図２４と同一部材は同一の符号を付してその説明を省略する。先ず、先部材７１２を透明あるいは着色した透明性を有する合成樹脂で構成し、表面後部７１２Ｉを隆起させて構成するとともに、その表面後部７１２Ｉに円周方向に伸びた突状部７１２Ｊを形成する。この先部材７１２の表面に、不透明のインキで印刷を行うかあるいは転写を行うとともに、その一部に透明性を有する窓部を形成する。更に、先部材７１２の後部に後端から切り欠かれて伸びたキー溝７１２Ａを相対位置に形成する。また、ロック部材１３４の内面に円周方向に伸びた凹状部１３４Ｃを形成するとともに、後方に伸ばしたカム部１３４Ｄを相対位置に形成する。このカム部１３４Ｄには、係止部１３４Ｂと係止部１３４Ｂより更に後方に伸びたストッパー部１３４Ｅを形成する。また、前軸３０２のカム部３０２Ｅには、後方に切り欠かれた凹部３０２Ｆを相対位置に形成する。前記ロック部材１３４の凹状部１３４Ｃを先部材７１２の突状部７１２Ｊに回動自在に取り付ける。また、ロック部材１３４のカム部１３４Ｄを前軸３０２の凹部３０２Ｆに合わせて図２６及び図２７に示した状態にすれば、ロック部材１３４のカム部１３４Ｄと前軸３０２のカム部３０２Ｅが適宜離間して、先部材７１２及びスライド部材３に対して前軸３０２が長手方向に移動可能となる。したがって、この状態では回転部材４１４の回転機構が働き、筆記を行えば芯１５が回転する。
【００７６】
また、芯１５の回転を止めたい場合には、ロック部材１３４を前方に対して右に回転させれば、ロック部材１３４のストッパー部１３４Ｅが前軸３０２のカム部３０２Ｅに形成した凹部３０２Ｆの縁３０２Ｇに当接してロック部材１３４の回転が停止されるとともに、ロック部材１３４の係止部１３４Ｂが前軸３０２のカム部３０２Ｅに接触して図２８及び図２９に示した状態となる。この状態では、先部材７１２及びスライド部材３に対して前軸３０２が長手方向前方に移動できなくなり、筆記を行なっても芯１５が回転しない。
【００７７】
この実施例１１の場合にも、使用目的によって芯１５が回転する状態と芯１５が回転しない状態を選択できるとともに、芯１５の回転を先部材７１２の窓部より確認できるので、筆記中に芯１５が回転しているのか回転していないのかが自然に判断できる利点が得られる。
【実施例１２】
【００７８】
以下、図３０及び図３１に基づいて本発明における実施例１２の振出式シャープペンシルを説明する。尚、図１と同一部材は同一の符号を付してその説明を省略する。先ず、軟質材で構成された把持部材１を前軸４０２に固定して取り付ける。また、前軸４０２の後部に雌ネジ部４０２Ｈを形成する。更に、ロック部材２３４の前部に雄ネジ部２３４Ｆを形成するとともに、後部２３４Ｇを太径に形成する。前記前軸４０２の雌ネジ部４０２Ｈにロック部材２３４の雄ネジ部２３４Ｆが長手方向に移動可能に螺合され、かつ、ロック部材２３４の後部２３４Ｇがガイド部材としての固定駒２０４の外鍔２０４Ｃに被さって構成される。この固定駒２０４の後方から円筒状の重量体１９を挿入し、重量体１９を芯タンク８の外面と固定駒２０４の内面との間に長手方向に摺動可能に遊嵌する。尚、芯タンク８の外面と重量体１９の内面との隙間より重量体１９の外面と固定駒２０４の内面との隙間を狭く構成する。前記固定駒２０４の後部に後軸２０を着脱可能に螺合して振出式シャープペンシルを構成する。そして、図３０に示した状態では、先部材１２に対してカム部材としての摺動部材１７は長手方向に移動可能に構成される。したがって、この状態では回転部材１４の回転機構が働き、筆記を行えば芯１５が回転する。
【００７９】
また、芯１５の回転を止めたい場合には、ロック部材２３４を回転させて前軸４０２を長手方向前方に移動させる。すると、図３１に示した状態となり、前軸４０２のキー４０２Ｂに押されて摺動部材１７が前方に移動し、先部材１２のキー溝１２Ａの前端縁に摺動部材１７の突部１７Ｇが当接する。この状態では、先部材１２及びスライド部材３に対して前軸４０２及び摺動部材１７が長手方向に往復動できなくなり、筆記を行なっても芯１５が回転しない。
【００８０】
この実施例１２の場合には、筆記中にロック部材２３４が指に当たらないので、誤作動が発生する恐れが少なくなる。尚、図示していないが、この実施例１３においても芯１５の回転を表示する表示部材を取り付けることもできる。
【実施例１３】
【００８１】
以下、図３２に基づいて本発明における実施例１３の振出式シャープペンシルを説明する。尚、図１と同一部材は同一の符号を付してその説明を省略する。先ず、スライド部材２０３の後端と前軸２の内鍔２Ａとの間に取付時荷重が１５０ｇ程度の緩衝スプリング３２を取り付ける。この緩衝スプリング３２の取付時荷重は前スプリング１８の取付時荷重より強く構成する。また、スライド部材２０３に固定駒３０４が圧入固着され、固定駒３０４の外段３０４Ａが前軸２の内鍔２Ａに当接される。この固定駒３０４の後方から円筒状の重量体１９を挿入し、重量体１９を芯タンク８の外面と固定駒３０４の内面との間に長手方向に摺動可能に遊嵌する。尚、芯タンク８の外面と重量体１９の内面との隙間より重量体１９の外面と固定駒３０４の内面との隙間を狭く構成して振出式シャープペンシルを構成する。
【００８２】
前記振出式シャープペンシルで筆記を行うと、芯１５が紙面に押圧され、筆圧を受けるチャック５、締具６、連結具９、スライド部材２０３、固定駒３０４、先部材１２及び回転部材１４は停止しているが、スライド部材２０３に対し手で把持された前軸２及び把持部材１は緩衝スプリング３２を圧縮しながら前進し、前軸２のキー２Ｂに突部１７Ｇが当接したカム部材としての摺動部材１７も前軸２とともに前スプリング１８を圧縮しながら前進する。この摺動部材１７の往復動によって回転部材１４を回転させる。
【００８３】
したがって、芯１５が筆圧を受けることによって手で把持された前軸２及び把持部材１が前進する時、緩衝スプリング３２によってゆるやかに移動させることができ、筆記中に前軸２及び把持部材１が揺動することによって生じる筆記の妨げを緩和できる利点が得られる。
【実施例１４】
【００８４】
以下、図３３、図３４及び図３５に基づいて本発明における実施例１４の振出式シャープペンシルを説明する。尚、図３２と同一部材は同一の符号を付してその説明を省略する。先ず、スライド部材２０３の後端と前軸２の内鍔２Ａとの間にゴムあるいは低反発発泡体等の軟質材で構成された緩衝部材３５を取付時荷重１５０ｇ程度で取り付ける。この緩衝部材３５は円筒状に形成し、その後部には長手方向後方に突出する突部３５Ａが円周方向等間隔に複数形成されている。また、緩衝部材３５の取付時荷重は前スプリング１８の取付時荷重より強く構成する。前記スライド部材２０３に固定駒３０４が圧入固着され、固定駒３０４の外段３０４Ａが前軸２の内鍔２Ａに当接される。この固定駒３０４の後方から円筒状の重量体１９を挿入し、重量体１９を芯タンク８の外面と固定駒３０４の内面との間に長手方向に摺動可能に遊嵌する。尚、芯タンク８の外面と重量体１９の内面との隙間より重量体１９の外面と固定駒３０４の内面との隙間を狭く構成して振出式シャープペンシルを構成する。
【００８５】
前記振出式シャープペンシルで筆記を行うと、芯１５が紙面に押圧され、筆記を受けるチャック５、締具６、連結具９、スライド部材２０３、固定駒３０４、先部材１２及び回転部材１４は停止しているが、スライド部材２０３に対し手で把持された前軸２及び把持部材１は緩衝部材３５を圧縮しながら前進し、前軸２のキー２Ｂに突部１７Ｇが当接したカム部材としての摺動部材１７も前軸２とともに前スプリング１８を圧縮しながら前進する。この摺動部材１７の往復動によって回転部材１４を回転させる。
【００８６】
したがって、芯１５が筆圧を受けることによって手で把持された前軸２及び把持部材１が前進する時、緩衝部材３５によって緩やかに移動させることができ、筆記中に前軸２及び把持部材１が揺動することによって生じる筆記の妨げを緩和できる利点が得られる。
【実施例１５】
【００８７】
以下、図３６、図３７及び図３８に基づいて本発明における実施例１５の振出式シャープペンシルを説明する。尚、図１４と同一部材は同一の符号を付してその説明を省略する。先ず、機構部をスライド部材３０３の前方より挿入し、スライド部材３０３の内鍔３０３Ｂを連結具９の後部外鍔９Ａが挿通し、スライド部材３０３の内鍔３０３Ｂが連結具９の前部外鍔９Ｂと後部外鍔９Ａの間に回動自在に係合される。前記スライド部材３０３の前部には雄ネジ部３０３Ｃが形成されるとともに、スライド部材３０３の後方から円筒状の重量体１９を挿入し、重量体１９を芯タンク８の外面とスライド部材３０３の内面との間に長手方向に摺動可能に遊嵌する。尚、芯タンク８の外面と重量体１９の内面との隙間より重量体１９の外面とスライド部材３０３の内面との隙間を狭く構成する。更に、図示していないがスライド部材３０３の後部に後軸が着脱可能に螺合されている。
【００８８】
前軸５０２には、前部に雄ネジ部５０２Ｉと外鍔５０２Ｊが形成されるとともに、外鍔５０２Ｊより長手方向後方に伸びた片５０２Ｋが相対位置に形成される。更に、この片５０２Ｋには雌ネジ部５０２Ｈが形成される。また、摺動部材４１７は、後部に外鍔４１７Ｌが形成され、この外鍔４１７Ｌには半円弧状の貫通孔４１７Ｍが左右の対象位置に形成される。
【００８９】
前記前軸５０２の片５０２Ｋを摺動部材４１７の貫通孔４１７Ｍに挿通し、前軸５０２に対し摺動部材４１７を長手方向には摺動可能で回動不能に取り付ける。更に、前軸５０２の片５０２Ｋに形成した雌ネジ部５０２Ｈにスライド部材３０３の雄ネジ部３０３Ｃを着脱可能に螺合して取り付ける。また、摺動部材４１７の外鍔４１７Ｌ表面には凹溝４１７Ｎが形成される。更に、シリコンゴム等の軟質材あるいは合成樹脂等の硬質材で構成された把持部材１０１の前部内面に前内鍔１０１Ａが形成される。この把持部材１０１の前内鍔１０１Ａが前記摺動部材４１７の外鍔４１７Ｌ表面に形成された凹溝４１７Ｎに圧入固着されることによって係止され、摺動部材４１７と把持部材１０１が連結されて、振出式シャープペンシルを構成する。
【００９０】
前記振出式シャープペンシルで筆記を行うと、芯１５が紙面に押され筆圧を受けるチャック５、締具６、連結具９、スライド部材３０３、先部材８１２、前軸５０２及び内駒２８は停止しているが、スライド部材３０３に対し手で把持された把持部材１０１は前進し、把持部材１０１に連結された摺動部材４１７も前進する。すると、摺動部材４１７に押されて回転部材２１４も前スプリング１１８を圧縮しながら前進する。そして、回転部材２１４の前カム２１４Ａの傾斜面が先部材８１２の前カム８１２Ｄの傾斜面に当接すると、回転部材２１４の前カム２１４Ａの傾斜面が先部材８１２の前カム８１２Ｄの傾斜面の略半分を滑って回転部材２１４が前方に対して右回転する。この回転部材２１４とともに、回転部材２１４に取り付けられた芯ホルダー１６が右回転すると芯１５も右に回転する。この時、芯１５を保持するチャック５も、締具６及び連結具９とともにスライド部材３０３に対して右に回転する。
【００９１】
次に、筆記を止め芯１５を紙面より離すと、手で把持された把持部材１０１に対して、前スプリング１１８により前方に付勢された先部材８１２、前軸４０２及びスライド部材２０３が前進する。すると、先部材８１２、前軸５０２及びスライド部材３０３とともに、内駒２８、連結具９、締具６及びチャック５が芯１５とともに前進する。しかし、把持部材１０１とともに摺動部材４１７及び回転部材２１４は停止しているので、内駒２８に形成された後カム２８Ａの傾斜面が回転部材２１４に形成された後カム２１４Ｂの傾斜面に当接し、回転部材２１４の後カム２１４Ｂの傾斜面が内駒２８の後カム２８Ａの傾斜面の略半分を滑って回転部材２１４が前方に対して右回転する。また、スライド部材３０３の外段３０３Ｄが把持部材１０１の後端に当接し、図３６の状態に復帰する。すると、回転部材２１４の後カム２１４Ｂの傾斜面は内駒２８の後カム２８Ａの傾斜面を１つ乗り越えて右隣りの傾斜面に当接され、芯１５は回転部材２１４の後カム２１４Ｂの１つの傾斜面寸法だけ右に回転する。
【００９２】
この実施例１５の場合には、先部材８１２と内駒２８によりカム部材を構成する。また、把持部材１０１に摺動部材４１７が固定されるので、先部材８１２と前軸５０２あるいは前軸５０２とスライド部材３０３を分離しても、それぞれに内蔵された部材は外れる心配がなく、また、組立性も向上するものである。
【実施例１６】
【００９３】
以下、図３９に基づいて本発明における実施例１６の振出式シャープペンシルを説明する。尚、図１と同一部材は同一の符号を付してその説明を省略する。先ず、合成樹脂で構成された把持部材２０１の前方よりスライド部材３を挿入するとともに後方より固定駒４を挿入し、スライド部材３と固定駒４を圧入固着する。このスライド部材３の後端と固定駒４の外段４Ａとの間に把持部材２０１の内鍔２０１Ｂを位置させ、前記把持部材２０１の内鍔２０１Ｂはスライド部材３の後端と固定駒４の外段４Ａの間を適宜前後動可能に構成する。また、スライド部材３のキー溝３Ａに把持部材２０１のキー２０１Ｃが係合し、スライド部材３と把持部材２０１は長手方向には適宜移動可能でかつ回動不能に構成される。更に、把持部材２０１のキー２０１Ｃの一部はスライド部材３の貫通したキー溝３Ａより内方に突出して構成される。また、前スプリング１８により長手方向後方に付勢されたカム部材としての摺動部材１７の突部１７Ｇを把持部材２０１のキー２０１Ｃに当接させる。更に、前記固定駒４の後方から円筒状の重量体１９を挿入し、重量体１９を芯タンク８の外面と固定駒４の内面との間に長手方向に摺動可能に遊嵌する。尚、芯タンク８の外面と重量体１９の内面との隙間より重量体１９の外面と固定駒４の内面との隙間を狭く構成する。前記把持部材２０１に後軸２０を着脱可能に螺合して振出式シャープペンシルを構成する。
【００９４】
尚、筆記により芯１５を回転する手段は実施例１と同様に行なわれる。
【実施例１７】
【００９５】
以下、図４０に基づいて本発明における実施例１７の振出式シャープペンシルを説明する。尚、図１８と同一部材は同一の符号を付してその説明を省略する。先ず、芯ガイドパイプ１１３内に芯ホルダー１１６を取り付け、この芯ガイドパイプ１１３を中駒２３０の前部に固定する。前記中駒２３０の外面の相対位置にキー２３０Ａを形成する。この中駒２３０を回転部材４１４の後方から挿入し、中駒２３０のキー２３０Ａを回転部材４１４のキー溝４１４Ｍに係合させることにより、回転部材４１４に対して中駒２３０、芯ガイドパイプ１１３及び芯ホルダー１１６を長手方向には摺動可能で回動不能に構成する。尚、先部材９１２については詳しく説明しないが、先端孔９１２Ｋを太くなった芯ガイドパイプ１１３が挿通可能にするために若干太くしたが、その他は先部材１２と同じである。
【００９６】
したがって、芯１５が紙面に押圧され、回転部材４１４が前方に対して右回転すると、中駒２３０、芯ガイドパイプ１１３及び芯ホルダー１１６も右に回転するために、芯１５も右に回転する。
【００９７】
この実施例１７の場合には、芯ガイドパイプ１１３の先端近くまで芯ホルダー１１６が配置されているので、残芯として排出される芯１５は非常に短くなり、経済的となる。
【００９８】
尚、本発明は、上記実施例に限定されるものではなく、把持部材、前軸、先部材、スライド部材、固定駒、回転部材、摺動部材、連結具といった部材は説明を簡略化するためにそれぞれ１個の部材として図示しているが、それぞれ２個以上の部材を螺合、圧入等により一体化すれば良い。また、回転部材、中駒、芯ガイドパイプに取り付けられる芯ホルダーは、ゴムに限定されるものではなく、金属の板を筒状に形成し、その一部に弾性部を形成したり、あるいは回転部材、中駒あるいは芯ガイドパイプ等の一部に弾性部を形成して一体に構成しても良い。更に、上記実施例は回転部材あるいはカム部材のどちらかに、前カムの傾斜面の略中心に後カムの垂直面を位置させて構成しているが、これは説明を明確にするためであって、本発明は、上記実施例に限定されるものではなく、互いに当接する前カムの傾斜面同士が接触して合致した時、互いに当接可能な後カムの接触面同士は離間するとともに傾斜面寸法の略半分程度円周方向にずれて構成され、かつ、前カムの傾斜面と後カムの傾斜面が円周方向に対して逆向きに傾斜して構成されていれば良い。
【産業上の利用可能性】
【００９９】
重量体の慣性力により芯を繰り出すことができるとともに、筆記によるチャック及び連結具の前後動により芯を一方向に回転させることができるとともに、全長が長くならず、かつ軸筒が太くならない振出式シャープペンシルに適用できる。
【符号の説明】
【０１００】
１    把持部材
３    スライド部材
５    チャック
６    締具
８    芯タンク
９    連結具
１４    回転部材
１４Ａ    回転部材１４の前カム
１４Ｂ    回転部材１４の後カム
１５    芯
１６    芯ホルダー
１９    重量体
１０１    把持部材
１０３    スライド部材
１０９    連結具
１１４    回転部材
１１４Ａ    回転部材１１４の前カム
１１４Ｂ    回転部材１１４の後カム
１１６    芯ホルダー
２０１    把持部材
２０３    スライド部材
２１４    回転部材
２１４Ａ    回転部材２１４の前カム
２１４Ｂ    回転部材２１４の後カム
３０３    スライド部材
３１４    回転部材
３１４Ｂ    回転部材３１４の後カム
４１４    回転部材
４１４Ａ    回転部材４１４の前カム
４１４Ｂ    回転部材４１４の後カム
５１４    回転部材
５１４Ａ    回転部材５１４の前カム
５１４Ｂ    回転部材５１４の後カム
６１４    回転部材
６１４Ａ    回転部材６１４の前カム
６１４Ｂ    回転部材６１４の後カム
【図１】
0005738086.tif 000002
【図２】
0005738086.tif 000003
【図３】
0005738086.tif 000004
【図４】
0005738086.tif 000005
【図５】
0005738086.tif 000006
【図６】
0005738086.tif 000007
【図７】
0005738086.tif 000008
【図８】
0005738086.tif 000009
【図９】
0005738086.tif 000010
【図１０】
0005738086.tif 000011
【図１１】
0005738086.tif 000012
【図１２】
0005738086.tif 000013
【図１３】
0005738086.tif 000014
【図１４】
0005738086.tif 000015
【図１５】
0005738086.tif 000016
【図１６】
0005738086.tif 000017
【図１７】
0005738086.tif 000018
【図１８】
0005738086.tif 000019
【図１９】
0005738086.tif 000020
【図２０】
0005738086.tif 000021
【図２１】
0005738086.tif 000022
【図２２】
0005738086.tif 000023
【図２３】
0005738086.tif 000024
【図２４】
0005738086.tif 000025
【図２５】
0005738086.tif 000026
【図２６】
0005738086.tif 000027
【図２７】
0005738086.tif 000028
【図２８】
0005738086.tif 000029
【図２９】
0005738086.tif 000030
【図３０】
0005738086.tif 000031
【図３１】
0005738086.tif 000032
【図３２】
0005738086.tif 000033
【図３３】
0005738086.tif 000034
【図３４】
0005738086.tif 000035
【図３５】
0005738086.tif 000036
【図３６】
0005738086.tif 000037
【図３７】
0005738086.tif 000038
【図３８】
0005738086.tif 000039
【図３９】
0005738086.tif 000040
【図４０】
0005738086.tif 000041